(57)【要約】【課題】ステッカーに対して保険を付帯させる保険システム、方法及びプログラム提供する。【解決手段】保険会社サーバ、契約者サーバ、代行者サーバ及び受益者端末を有するステッカー付帯保険システムにおいて代行者サーバが、ステッカー種類と保険内容とを関連付けて記憶し、ステッカー製造番号を含むステッカー関連データを記憶し、ステッカー製造番号を含む受益者関連データを受益者端末から受信して記憶し、見舞金請求データを受益者端末から受信して見舞金の支払いを決定する。【選択図】　図１
2004030229.tif 000002
【特許請求の範囲】
【請求項１】
ステッカーに付帯する保険を提供する保険会社、該保険会社との保険約款に基づき該保険を付帯させたステッカーを配布する保険契約者、及び該保険会社の保険業務を代行する代行者のためにそれぞれ設置されかつ互いに情報伝送可能な保険会社サーバ、契約者サーバ、及び代行者サーバと、該代行者サーバとの間で情報伝送可能な受益者端末とを有するステッカー付帯保険システムにおいて、前記代行者サーバが、
（ａ）ステッカーの種類と該ステッカーに付帯する保険内容とを関連付けて記憶するためのステッカーサービス約款データ記憶手段と、
（ｂ）配布済ステッカーに関し、該配布済ステッカーの各々に付与されたステッカー製造番号を含むデータを記憶するための配布済ステッカーデータ記憶手段と、
（ｃ）前記ステッカー付帯保険の受益者データを記憶するための受益者データ記憶手段と、
（ｄ）前記受益者端末から送信されるステッカー製造番号を含む受益者データを受信し前記受益者データ記憶手段へ記憶する受益者登録処理部と、
（ｅ）前記受益者端末から見舞金請求データを受信しかつ該見舞金請求データに含まれるステッカー製造番号に基づいて前記ステッカーサービス約款データ記憶手段、前記配布済ステッカーデータ記憶手段及び前記受益者データ記憶手段を参照することにより見舞金の支払いを決定する見舞金処理部とを有することを特徴とする
ステッカー付帯保険システム。
【請求項２】
前記代行者サーバがさらに、（ｆ）前記保険会社へ保険金を請求するための保険金請求データを作成し、該保険金請求データを前記保険会社サーバへ送信する保険金処理部を有することを特徴とする請求項１に記載のステッカー付帯保険システム。
【請求項３】
前記代行者サーバの前記受益者登録処理部が、前記受益者データを前記保険会社サーバへ送信し、該受益者データに基づき前記受益者に対して該保険会社サーバにより付与された識別番号を該保険会社サーバから受信し前記受益者データ記憶手段に記憶すると共に、該識別番号を前記受益者端末へ送信することを特徴とする請求項１又は２に記載のステッカー付帯保険システム。
【請求項４】
前記代行者サーバの前記見舞金処理部が、前記見舞金請求データに含まれるステッカー製造番号及び識別番号に基づいて、前記受益者データ記憶手段、前記配布済ステッカーデータ記憶手段及び前記ステッカーサービス約款データ記憶手段を参照することにより見舞金の支払いを決定することを特徴とする請求項３に記載のステッカー付帯保険システム。
【請求項５】
前記代行者サーバの前記受益者登録処理部が、前記受益者データに含まれるステッカー製造番号に基づいて、前記配布済ステッカーデータ記憶手段に該ステッカー製造番号が記憶されているか否かを確認することを特徴とする請求項１〜４のいずれかに記載のステッカー付帯保険システム。
【請求項６】
複数の顧客端末がそれぞれステッカー製造番号を用いてステッカー関連ウェブサイトにアクセスし、該ウェブサイトにて該ステッカー製造番号の贈与、収集若しくは対戦を行うことにより該複数の顧客端末から１の受益者端末が特定されることを特徴とする請求項１〜５のいずれかに記載のステッカー付帯保険システム。
【請求項７】
配布済ステッカーのステッカー製造番号を他の顧客端末から転送された別の顧客端末が受益者端末として特定されることを特徴とする請求項１〜５のいずれかに記載のステッカー付帯保険システム。
【請求項８】
ステッカーに付帯する保険を提供する保険会社、該保険会社との保険約款に基づき該保険を付帯させたステッカーを配布する保険契約者、及び該保険会社の保険業務を代行する代行者のためにそれぞれ設置されかつ互いに情報伝送可能な保険会社サーバ、契約者サーバ、及び代行者サーバと、該代行者サーバとの間で情報伝送可能な受益者端末とにより実行されるステッカー付帯保険方法において、前記代行者サーバが、
（ａ）ステッカーの種類と該ステッカーに付帯する保険内容とを関連付けて記憶するステップと、
（ｂ）配布済ステッカーに関し、該配布済ステッカーの各々に付与されたステッカー製造番号を含むデータを記憶するステップと、
（ｃ）前記受益者端末から送信されるステッカー製造番号を含む受益者データを受信しかつ記憶するステップと、
（ｄ）前記受益者端末から見舞金請求データを受信しかつ該見舞金請求データに含まれるステッカー製造番号に基づいて前記記憶された配布済ステッカーのステッカー製造番号及び前記記憶された受益者データのステッカー製造番号を参照することにより見舞金の支払いを決定するステップとを有することを特徴とする
ステッカー付帯保険方法。
【請求項９】
前記代行者サーバがさらに、（ｅ）前記保険会社へ保険金を請求するための保険金請求データを作成し、該保険金請求データを前記保険会社サーバへ送信するステップを有することを特徴とする請求項８に記載のステッカー付帯保険方法。
【請求項１０】
前記代行者サーバが、前記受益者データを前記保険会社サーバへ送信するステップと、該受益者データに基づき前記受益者に対して該保険会社サーバにより付与された識別番号を該保険会社サーバから受信しかつ記憶するステップと、該識別番号を前記受益者端末へ送信するステップとをさらに有することを特徴とする請求項８又は９に記載のステッカー付帯保険方法。
【請求項１１】
前記代行者サーバが、前記見舞金請求データに含まれるステッカー製造番号及び識別番号に基づいて、前記記憶された配布済ステッカーのステッカー製造番号、前記記憶された受益者データのステッカー製造番号、及び前記記憶された識別番号を参照することにより見舞金の支払いを決定することを特徴とする請求項１０に記載のステッカー付帯保険方法。
【請求項１２】
前記代行者サーバが、前記受益者データに含まれるステッカー製造番号が前記記憶された配布済ステッカーのステッカー製造番号に含まれるか否かを確認することを特徴とする請求項８〜１１のいずれかに記載のステッカー付帯保険方法。
【請求項１３】
複数の顧客端末がそれぞれステッカー製造番号を用いてステッカー関連ウェブサイトにアクセスし、該ウェブサイトにて該ステッカー製造番号の贈与、収集若しくは対戦を行うことにより該複数の顧客端末から１の受益者端末が特定されることを特徴とする請求項８〜１２のいずれかに記載のステッカー付帯保険方法。
【請求項１４】
配布済ステッカーのステッカー製造番号を他の顧客端末から転送された別の顧客端末が受益者端末として特定されることを特徴とする請求項８〜１２のいずれかに記載のステッカー付帯保険方法。
【請求項１５】
ステッカーに付帯する保険を提供する保険会社、該保険会社との保険約款に基づき該保険を付帯させたステッカーを配布する保険契約者、及び該保険会社の保険業務を代行する代行者のためにそれぞれ設置されかつ互いに情報伝送可能な保険会社サーバ、契約者サーバ、及び代行者サーバと、該代行者サーバとの間で情報伝送可能な受益者端末とを有するステッカー付帯保険方法において、前記代行者サーバに対し、
（ａ）ステッカーの種類と該ステッカーに付帯する保険内容とを関連付けて記憶する機能と、
（ｂ）配布済ステッカーに関し、該配布済ステッカーの各々に付与されたステッカー製造番号を含むデータを記憶する機能と、
（ｃ）前記受益者端末から送信されるステッカー製造番号を含む受益者データを受信しかつ記憶する機能と、
（ｄ）前記受益者端末から見舞金請求データを受信しかつ該見舞金請求データに含まれるステッカー製造番号に基づいて前記記憶された配布済ステッカーのステッカー製造番号及び前記記憶された受益者データのステッカー製造番号を参照することにより見舞金の支払いを決定する機能とを実現させることを特徴とする
ステッカー付帯保険プログラム。
【請求項１６】
前記代行者サーバに対しさらに、（ｅ）前記保険会社へ保険金を請求するための保険金請求データを作成し、該保険金請求データを前記保険会社サーバへ送信する機能を実現させることを特徴とする請求項１５に記載のステッカー付帯保険プログラム。
【請求項１７】
前記代行者サーバに対しさらに、前記受益者データを前記保険会社サーバへ送信する機能と、該受益者データに基づき前記受益者に対して該保険会社サーバにより付与された識別番号を該保険会社サーバから受信しかつ記憶する機能と、該識別番号を前記受益者端末へ送信する機能とをさらに実現させることを特徴とする請求項１５又は１６に記載のステッカー付帯保険プログラム。
【請求項１８】
前記代行者サーバに対しさらに、前記見舞金請求データに含まれるステッカー製造番号及び識別番号に基づいて、前記記憶された配布済ステッカーのステッカー製造番号、前記記憶された受益者データのステッカー製造番号、及び前記記憶された識別番号を参照することにより見舞金の支払いを決定する機能を実現させることを特徴とする請求項１５に記載のステッカー付帯保険プログラム。
【請求項１９】
前記代行者サーバに対しさらに、前記受益者データに含まれるステッカー製造番号が前記記憶された配布済ステッカーのステッカー製造番号に含まれるか否かを確認する機能を実現させることを特徴とする請求項１５〜１８のいずれかに記載のステッカー付帯保険プログラム。
【発明の詳細な説明】
【０００１】
【発明の属する技術分野】
本発明は、保険システムに関し、特に、各種キャンペーンや広告等のために配布されるステッカーに付帯させた保険システムに関する。
【０００２】
【従来の技術】
各種キャンペーンや広告等のためにステッカーを配布することが広く行われている。「ステッカー」とは、一般的には、紙やプラスチック等適宜の材料で平面形状に形成され、その表面には所定の目的のためのキャンペーン、標識、広告等の内容が印刷等により視覚的に表現され、さらに各種物品に貼付できるように裏面に粘着剤等が設けられたり、衣服等に取り付けられるようにピンやクリップが付加されたりしたものである。これらのステッカーは、配布された後に物品、車両、家屋等に貼付されたり、身につけられたりすることにより、それを見る人に対して強力な訴求機能を有することとなる。
【０００３】
【発明が解決しようとする課題】
上記のようなステッカーの訴求機能をさらに生かすためには、より多くの人々がそのステッカーの配布を受けたいと考えるような付加価値をそのステッカーにつけることが有効である。このような人々のインセンティブを高める付加価値の一つとして、ステッカーに保険を付帯させることを考案した。
そこで、本発明は、多数の人を対象に配布するステッカーに付帯した保険のシステム、方法及びプログラム提供することを目的とする。
【０００４】
【課題を解決するための手段】
上記の目的を達成するべく本発明は、以下のシステム、方法及びプログラムを提供する。
【０００５】
（１）請求項１のステッカー付帯保険システムは、ステッカーに付帯する保険を提供する保険会社、該保険会社との保険約款に基づき該保険を付帯させたステッカーを配布する保険契約者、及び該保険会社の保険業務を代行する代行者のためにそれぞれ設置されかつ互いに情報伝送可能な保険会社サーバ、契約者サーバ、及び代行者サーバと、該代行者サーバとの間で情報伝送可能な受益者端末とを有するステッカー付帯保険システムにおいて、前記代行者サーバが、
（ａ）ステッカーの種類と該ステッカーに付帯する保険内容とを関連付けて記憶するためのステッカーサービス約款データ記憶手段と、
（ｂ）配布済ステッカーに関し、該配布済ステッカーの各々に付与されたステッカー製造番号を含むデータを記憶するための配布済ステッカーデータ記憶手段と、
（ｃ）前記ステッカー付帯保険の受益者データを記憶するための受益者データ記憶手段と、
（ｄ）前記受益者端末から送信されるステッカー製造番号を含む受益者データを受信し前記受益者データ記憶手段へ記憶する受益者登録処理部と、
（ｅ）前記受益者端末から見舞金請求データを受信しかつ該見舞金請求データに含まれるステッカー製造番号に基づいて前記ステッカーサービス約款データ記憶手段、前記配布済ステッカーデータ記憶手段及び前記受益者データ記憶手段を参照することにより見舞金の支払いを決定する見舞金処理部とを有する。
【０００６】
（２）請求項２のステッカー付帯保険システムは、請求項１のシステムにおいて、前記代行者サーバがさらに、（ｆ）前記保険会社へ保険金を請求するための保険金請求データを作成し、該保険金請求データを前記保険会社サーバへ送信する保険金処理部を有する。
【０００７】
（３）請求項３のステッカー付帯保険システムは、請求項１又は２のシステムにおいて、前記代行者サーバの前記受益者登録処理部が、前記受益者データを前記保険会社サーバへ送信し、該受益者データに基づき前記受益者に対して該保険会社サーバにより付与された識別番号を該保険会社サーバから受信し前記受益者データ記憶手段に記憶すると共に、該識別番号を前記受益者端末へ送信する。
【０００８】
（４）請求項４のステッカー付帯保険システムは、請求項３のシステムにおいて、前記代行者サーバの前記見舞金処理部が、前記見舞金請求データに含まれるステッカー製造番号及び識別番号に基づいて、前記受益者データ記憶手段、前記配布済ステッカーデータ記憶手段及び前記ステッカーサービス約款データ記憶手段を参照することにより見舞金の支払いを決定する。
【０００９】
（５）請求項５のステッカー付帯保険システムは、請求項１〜４のいずれかのシステムにおいて、前記代行者サーバの前記受益者登録処理部が、前記受益者データに含まれるステッカー製造番号に基づいて、前記配布済ステッカーデータ記憶手段に該ステッカー製造番号が記憶されているか否かを確認する。
【００１０】
（６）請求項６のステッカー付帯保険システムは、請求項１〜５のいずれかのシステムにおいて、複数の顧客端末がそれぞれステッカー製造番号を用いてステッカー関連ウェブサイトにアクセスし、該ウェブサイトにて該ステッカー製造番号の贈与、収集若しくは対戦を行うことにより該複数の顧客端末から１の受益者端末が特定される。
【００１１】
（７）請求項７のステッカー付帯保険システムは、請求項１〜５のいずれかのシステムにおいて、配布済ステッカーのステッカー製造番号を他の顧客端末から転送された別の顧客端末が受益者端末として特定される。
【００１２】
（８）請求項８のステッカー付帯保険方法は、ステッカーに付帯する保険を提供する保険会社、該保険会社との保険約款に基づき該保険を付帯させたステッカーを配布する保険契約者、及び該保険会社の保険業務を代行する代行者のためにそれぞれ設置されかつ互いに情報伝送可能な保険会社サーバ、契約者サーバ、及び代行者サーバと、該代行者サーバとの間で情報伝送可能な受益者端末とにより実行されるステッカー付帯保険方法において、前記代行者サーバが、
（ａ）ステッカーの種類と該ステッカーに付帯する保険内容とを関連付けて記憶するステップと、
（ｂ）配布済ステッカーに関し、該配布済ステッカーの各々に付与されたステッカー製造番号を含むデータを記憶するステップと、
（ｃ）前記受益者端末から送信されるステッカー製造番号を含む受益者データを受信しかつ記憶するステップと、
（ｄ）前記受益者端末から見舞金請求データを受信しかつ該見舞金請求データに含まれるステッカー製造番号に基づいて前記記憶された配布済ステッカーのステッカー製造番号及び前記記憶された受益者データのステッカー製造番号を参照することにより見舞金の支払いを決定するステップとを有する。
【００１３】
（９）請求項９のステッカー付帯保険方法は、請求項８の方法において、前記代行者サーバがさらに、（ｅ）前記保険会社へ保険金を請求するための保険金請求データを作成し、該保険金請求データを前記保険会社サーバへ送信するステップを有する。
【００１４】
（１０）請求項１０のステッカー付帯保険方法は、請求項８又は９の方法において、前記代行者サーバが、前記受益者データを前記保険会社サーバへ送信するステップと、該受益者データに基づき前記受益者に対して該保険会社サーバにより付与された識別番号を該保険会社サーバから受信しかつ記憶するステップと、該識別番号を前記受益者端末へ送信するステップとをさらに有する。
【００１５】
（１１）請求項１１のステッカー付帯保険方法は、請求項１０の方法において、前記代行者サーバが、前記見舞金請求データに含まれるステッカー製造番号及び識別番号に基づいて、前記記憶された配布済ステッカーのステッカー製造番号、前記記憶された受益者データのステッカー製造番号、及び前記記憶された識別番号を参照することにより見舞金の支払いを決定する。
【００１６】
（１２）請求項１２のステッカー付帯保険方法は、請求項８〜１１のいずれかの方法において、前記代行者サーバが、前記受益者データに含まれるステッカー製造番号が前記記憶された配布済ステッカーのステッカー製造番号に含まれるか否かを確認する。
【００１７】
（１３）請求項１３のステッカー付帯保険方法は、請求項８〜１２のいずれかの方法において、複数の顧客端末がそれぞれステッカー製造番号を用いてステッカー関連ウェブサイトにアクセスし、該ウェブサイトにて該ステッカー製造番号の贈与、収集若しくは対戦を行うことにより該複数の顧客端末から１の受益者端末が特定される。
【００１８】
（１４）請求項１４のステッカー付帯保険方法は、請求項８〜１２のいずれかの方法において、配布済ステッカーのステッカー製造番号を他の顧客端末から転送された別の顧客端末が受益者端末として特定される。
【００１９】
（１５）請求項１５のステッカー付帯保険プログラムは、ステッカーに付帯する保険を提供する保険会社、該保険会社との保険約款に基づき該保険を付帯させたステッカーを配布する保険契約者、及び該保険会社の保険業務を代行する代行者のためにそれぞれ設置されかつ互いに情報伝送可能な保険会社サーバ、契約者サーバ、及び代行者サーバと、該代行者サーバとの間で情報伝送可能な受益者端末とを有するステッカー付帯保険方法において、前記代行者サーバに対し、
（ａ）ステッカーの種類と該ステッカーに付帯する保険内容とを関連付けて記憶する機能と、
（ｂ）配布済ステッカーに関し、該配布済ステッカーの各々に付与されたステッカー製造番号を含むデータを記憶する機能と、
（ｃ）前記受益者端末から送信されるステッカー製造番号を含む受益者データを受信しかつ記憶する機能と、
（ｄ）前記受益者端末から見舞金請求データを受信しかつ該見舞金請求データに含まれるステッカー製造番号に基づいて前記記憶された配布済ステッカーのステッカー製造番号及び前記記憶された受益者データのステッカー製造番号を参照することにより見舞金の支払いを決定する機能とを実現させる。
【００２０】
（１６）請求項１６のステッカー付帯保険プログラムは、請求項１５のプログラムにおいて、前記代行者サーバに対しさらに、（ｅ）前記保険会社へ保険金を請求するための保険金請求データを作成し、該保険金請求データを前記保険会社サーバへ送信する機能を実現させる。
【００２１】
（１７）請求項１７のステッカー付帯保険プログラムは、請求項１５又は１６のプログラムにおいて、前記代行者サーバに対しさらに、前記受益者データを前記保険会社サーバへ送信する機能と、該受益者データに基づき前記受益者に対して該保険会社サーバにより付与された識別番号を該保険会社サーバから受信しかつ記憶する機能と、該識別番号を前記受益者端末へ送信する機能とをさらに実現させる。
【００２２】
（１８）請求項１８のステッカー付帯保険プログラムは、請求項１５のプログラムにおいて、前記代行者サーバに対しさらに、前記見舞金請求データに含まれるステッカー製造番号及び識別番号に基づいて、前記記憶された配布済ステッカーのステッカー製造番号、前記記憶された受益者データのステッカー製造番号、及び前記記憶された識別番号を参照することにより見舞金の支払いを決定する機能を実現させる。
【００２３】
（１９）請求項１９のステッカー付帯保険プログラムは、請求項１５〜１８のいずれかのプログラムにおいて、前記代行者サーバに対しさらに、前記受益者データに含まれるステッカー製造番号が前記記憶された配布済ステッカーのステッカー製造番号に含まれるか否かを確認する機能を実現させる。
【００２４】
【発明の実施の形態】
以下、図面を参照しつつ本発明の実施の形態を説明する。
図１は、本発明によるステッカー付帯保険システムの実施形態を概略的かつ模式的に示す構成図である。本発明おけるステッカー付帯保険は、ステッカーに付帯した保険を提供する保険会社と、ステッカーを製造し配布するステッカー提供者若しくは広告主との間の保険約款に基づいてステッカーに付帯させた保険であって、当該ステッカーを配布された顧客（配布後の譲受等による転得者も含む）のためのサービスとしての保険である。従って、保険の受益者は顧客である。尚、所定の目的をもつステッカーの製造配布に関し責任のあるステッカー提供者が「保険契約者」である場合と、例えば、所定の目的をもつステッカーの一部に広告が含まれており、その広告主（ステッカー提供者とは異なる場合がある）が「保険契約者」となる場合がある。
【００２５】
図１に示すステッカー付帯保険システム１における、保険サービス代行者サーバ１０、保険契約者サーバ５０及び保険会社サーバ６０は、それぞれ「保険サービス代行者」、「保険契約者」及び「保険会社」の業務実行のために設置されるサーバである。保険サービス代行者は、保険会社と保険契約者との間の保険約款の設定に際して双方を仲介すると共に、本システムの各局面において保険会社又は保険契約者の保険関連業務の代行者としての役割を果たす。これにより、保険契約者及び保険会社の負担を軽減し、本システムの普及を促進することができる。保険サービス代行者は、本システムを円滑に運営するために設けられた機関（企業）である。尚、図１の例では、保険会社、保険サービス代行者、保険契約者をそれぞれ１つずつ示しているが、本システムの基本的な運営体制では、保険会社と保険サービス代行者が各１社存在し、保険契約者として複数の企業が存在することとなる。
【００２６】
保険契約者は、前述の通り、ステッカー提供者若しくはステッカー広告主である。保険契約者サーバ５０は、ステッカーの製造記録及び配布記録の管理を行う。実際には、ステッカーの配布は、ステッカー提供者が直接行うよりも幾つかの配布先ネットワークａ、ｂ、ｃ（この場合の「ネットワーク」は「通信ネットワーク」の意味ではない）を介して顧客へ配布されることが多い。例えば、ステッカー提供者が企業であり、新商品のキャンペーンを目的としたステッカーを製造した場合、直接配布することもあるが、系列の販売店を介して配布したり、商品ＰＲのためのイベント会場で配布したりすることが一般的に行われる。これらの系列販売店やイベント会場等が配布先ネットワークａ、ｂ、ｃである。これらの保険契約者サーバ５０は、配布先ネットワークａ、ｂ、ｃから配布済のステッカーに関する情報を取得し、その情報を記録管理する。
【００２７】
保険サービス代行者サーバ（以下、「代行者サーバ」と称する）１０、保険契約者サーバ（以下、「契約者サーバ」と称する）５０、及び保険会社サーバ６０は、それぞれ適宜のコンピュータにより実施できる。これらのコンピュータは、中央演算処理装置（ＣＰＵ）、記憶装置及び適宜の入出力装置を具備し、記憶装置に記憶されたプログラムをＣＰＵが実行することにより、本システムの各機能を実現する。プログラムは、本システムに必要な各処理のためのプログラムである。図１の各サーバ１０、５０、６０のそれぞれのデータ処理部２０、５１、６１は、ＣＰＵを中心に構成され、各処理を実行する。尚、図１では、データ処理部の実行する各処理を、模式的に各「処理部」として表しているが、これらの処理部は本システムに関する主要なもののみを示しており、図示したものが全てではない。
【００２８】
記憶装置の一つに、本システムに関連する種々のデータを記憶するデータ記憶部が構築される。各サーバ１０、５０、６０のそれぞれのデータ記憶部２５、５４、６４は、各データ処理部２０、５１、６１の制御により種々のデータを記憶し、更新する。例えば、各データ記憶部は、種々のデータを適宜のテーブル形式で記憶する。尚、図示の各テーブル及び後述するその具体的構成は例示であり、各テーブルに含まれるデータが重複する場合又は相互に関係する場合もある。
【００２９】
図示しないが、各サーバは、適宜の通信ネットワーク（インターネット、ブロードバンド、専用線等）を介して他のサーバ又は任意の端末（パソコンや携帯電話等）と双方向情報伝送するための一般的な通信装置を具備する。特に、代行者サーバ１０は、本システムによる保険サービスの受益者により用いられる受益者端末４０との双方向情報伝送においては、受付ウェブサイト（後述する図５の符号１２）を利用することが好ましい。この場合、代行者サーバ１０は、ウェブサーバとしての機能を具備する。また、契約者サーバ５０は、配布先ネットワークａ、ｂ、ｃから配布済のステッカーに関する情報を取得するが、配布先ネットワークａ、ｂ、ｃから通信ネットワークを介して当該情報のデータを受信することが好ましい。
【００３０】
保険会社サーバ６０については、保険業務ホストシステムの一機能として本システムの機能を組み込む形態で実施してもよい。契約者サーバ５０についても、本来の業務システムの一機能として本システムの機能を組み込む形態で実施してもよい。
【００３１】
図１を参照して、本システムの処理の流れの概要を述べる。詳細は後述する。尚、保険会社と契約者との間の保険約款は、既に設定されているものとする。保険約款データは、ステッカーの種類とそれに付帯される保険の内容を含む。契約者サーバ５０は、保険約款データを保険約款データテーブル５５に記憶し、保険会社サーバ６０は、保険約款データを保険約款データテーブル６５に記憶する。また、代行者サーバ１０も、ステッカーサービス約款データを、ステッカーサービス約款データテーブル２６に記憶する。「ステッカーサービス約款」は、代行者が受益者に対して見舞金を支払うことに関する約款であり、代行者と受益者との間の約款であるので、保険会社と契約者との間の「保険約款」と区別している。しかしながら、データの内容としては、保険約款データもステッカーサービス約款も実質的に同様の内容となる（図２参照）。また、以下の説明では、代行者が受益者へ支払う金銭を「見舞金」とし、保険会社が契約者へ支払う金銭を「保険金」として区別している。
【００３２】
・ステップＳ１０１：所定の目的をもつステッカーが製造され、複数の配布先ネットワークａ、ｂ、ｃにその配布が委託される。全てのステッカーには、固有の製造番号が有り当てられる。配布先ネットワークａ、ｂ、ｃはそれぞれステッカーを顧客に配布する。
・ステップＳ１０２：各配布先ネットワークは、配布済のステッカーに関するデータ（ステッカー製造番号を含む）を契約者サーバ５０へ通知する。
・ステップＳ１０３：契約者サーｂ５０は、配布済のステッカーに関するデータ（ステッカー製造番号を含む）を代行者サーバ１０へ送信する。
・ステップＳ１０４：代行者サーバ１０は、配布済のステッカーに関するデータ（ステッカー製造番号を含む）を保険者サーバ６０へ送信する。これに基づいて保険者サーバ６０は、保険料の暫定見積もりを行う。
【００３３】
・ステップＳ２０１：見舞金サービス受益者としての申込手続のために、受益者端末４０から代行者サーバ１０へ受益者データが送信される。尚、実施例によっては、いずれかの配布先ネットワークからステッカーを配布された顧客の端末が、必ずしもそのまま受益者端末４０とならない場合がある（図７において説明する）。
・ステップＳ２０２：代行者サーバ１０は、受益者データを記憶すると共に、受益者データを保険会社サーバ６０へ送信する。
・ステップＳ２０３：保険会社サーバ６０は、受益者データを登録すると共に、受益者に対する識別番号を付与し、代行者サーバ１０へ識別番号を送信する。
・ステップＳ２０４：代行者サーバ１０は、識別番号を受益者端末４０へ送信する。
【００３４】
・ステップＳ３０１：保険の補償対象となる事故が発生し、受益者端末４０から代行者サーバ１０へ見舞金請求データが送信される。
・ステップＳ３０２：代行者から受益者へ見舞金が支払われる。
【００３５】
・ステップＳ４０１：代行者サーバ１０から契約者サーバ５０へ立替金（見舞金）請求データが送信される。
・ステップＳ４０２：代行者サーバ１０から保険会社サーバ６０へ保険金請求データが送信される。
・ステップＳ４０３：保険会社から契約者へ保険金が支払われる。
・ステップＳ４０４：契約者から代行者へ立替金が支払われる。
【００３６】
以下、図２〜図１１を参照して、代行者サーバ１０、契約者サーバ５０及び保険会社サーバ６０のそれぞれのデータ記憶部２５、５４及び６４に記憶される各テーブルについて説明する。尚、図示の各テーブルの含むデータ項目は一例として示すものであり、それらに限定する意図ではない。
【００３７】
図２は、図１の保険会社サーバ６０の保険約款データテーブル６５の一例を模式的に示している。また、代行者サーバ１０のステッカーサービス約款データテーブル２６も実質的に同様の内容となる。
【００３８】
例えば、図２のテーブル第１段目の事例では、Ａ自動車会社が契約者であり、○○イベント宣伝用として自社のロゴのはいったステッカー（種類コードＡ０１）を販促品として複数の系列店へ配布し、各系列店が顧客へ配布する。ステッカーに付帯する保険内容は、こすり事故に対して見舞金として２万円、パンク事故に対して見舞金として１万円が受益者へ支払われる。
【００３９】
図２のテーブル第２段目の事例では、Ｎ電気メーカーが契約者であり、新商品△△をＰＲするために、旅行会社とタイアップして商品ＰＲステッカー（種類コードＢ０３）をツアー参加者のバッグに貼付させる。このステッカーは、例えば、ツアーの申込時点で旅行会社からツアー参加者へ配布される。旅行中の傷害事故に対して見舞金２万円が支払われる。
【００４０】
図２のテーブル第３段目の事例では、Ｙ飲料メーカーが契約者であり、訪問販売向飲料の月極契約の販促品としてステッカー（種類コードＣ１２）を主婦に配布する。このステッカーは台所まわりに貼付される。台所まわりの事故に対して見舞金１万円が支払われる。
【００４１】
図２のテーブル第４段目の事例では、Ｎ石油会社が契約者であり、自社ＰＲ用のステッカー（種類コードＤ０１）をガソリンスタンドを通じて顧客に配布する。このステッカーは自動車等に貼付される。パンク事故に対して見舞金１万円が支払われる。
【００４２】
図２のテーブル第５段目の事例では、大手Ｍスーパーが契約者であり、ＰＲ用に各店舗を通じて優良顧客にステッカー（種類コードＥ２１）を配布する。このステッカーを車両に貼付し、駐車場料金割引証として用いることもできる。ピッキング又はひったくり事故に対して見舞金１万円が支払われる。
【００４３】
図２のテーブル第６段目の事例では、ある地域団体が契約者であり、地域の環境安全キャンペーンを実行するために、賛同者にステッカー（種類コードＦ１０）を販売して寄付を集める。このステッカーには、子供の交通傷害保険が付帯しており、車両に貼付する。子供の交通傷害事故に対して見舞金３万円が支払われる。
【００４４】
図２におけるステッカー種類コードは、ステッカーの種類を識別するためにステッカーの種類毎に割り当てられるコードであり、ステッカーの管理を容易に行うために付与する。
【００４５】
図３（Ａ）〜（Ｆ）はそれぞれ、図１の契約者サーバ５０のデータ記憶部５４に記憶されるステッカー製造番号データテーブル５６の一例を示す。ステッカー製造番号データテーブル５６は、契約者が自己の責任において製造及び配布する保険付帯ステッカーを管理するためのテーブルであり、全てのステッカーに固有のステッカー製造番号が付与される。また、ステッカー自体にもステッカー製造番号が印刷等により表される。これにより、ステッカーを取得した者が、ステッカー製造番号を知ることができる。図示の例は、２００２年１月に製造されたステッカーの種類、ステッカー製造番号、及び製造したステッカー数を記録している。図３（Ａ）〜（Ｆ）のステッカー製造番号テーブル５６はそれぞれ、図２の保険約款データテーブル６５の第１〜６段目の各ステッカーに対応する各ステッカー提供者の契約者サーバ５０におけるものである。
【００４６】
図４は、契約者サーバ５０により作成され記憶される配布済ステッカーデータテーブル５７の一例である。図４は、図２の保険約款データテーブル６５の第１段目のステッカーすなわち図３（Ａ）のＡ自動車会社のものである。このテーブルには、２００２年２月に各配布先ネットワークａ、ｂ、ｃを通じて実際に顧客へ配布されたステッカーの製造番号を記録している。これらのデータは、各配布先ネットワークから取得する。尚、このテーブル５７のデータは、代行者サーバ１０へも送信されるので、代行者サーバ１０において記憶される配布済ステッカーデータテーブル２７も同様である。但し、代行者サーバ１０においては、複数の契約者サーバ５０から送信される配布済ステッカーデータテーブル５７が集約されることとなる。
【００４７】
図５は、代行者サーバ１０により作成され記憶される保険タイプ別配布済ステッカーデータテーブル２８の一例である。図４に示した配布済ステッカーデータテーブル５７が複数の契約者サーバ５０から代行者サーバ１０へ送信されてくると、代行者サーバ１０はそれらをデータ記憶部２５の配布済ステッカーデータテーブル２７として一時的に記憶する。そして、代行者サーバ１０は、一定期間毎（例えば、毎月）に集計を行い、保険タイプ別配布済ステッカーデータテーブル２８を作成し記憶する。具体的には、図２に示したステッカーサービス約款データテーブル２６を参照し、複数の契約者サーバ５０から受信した配布済ステッカーデータテーブル２７を組み替え、図５のような１つの配布済ステッカーデータテーブルとしてまとめる。これにより、全ての保険契約者すなわちステッカー提供者から配布された配布済ステッカーの製造番号を一括管理することができる。
【００４８】
図６は、図１の代行者サーバ１０のデータ記憶部２５に記憶される受益者データテーブル２９の一例を示す。受益者データは、配布されたステッカーに付帯した保険についての見舞金受取人すなわち受益者として特定された者のデータを格納する。保険会社サーバ６０のデータ記憶部６４の受益者データテーブル６６も同じデータを保管する。
【００４９】
図６の第１段目は、種類コード「Ａ０１」のステッカー（すなわちＡ自動車会社のＰＲ用ステッカー）で製造番号「Ａ０１−１−１５５」についての受益者の氏名「発明太郎」、住所、年齢、性別等の個人情報が記録されている。これらの個人情報は、受益者端末４０から代行者サーバ１０へアクセスし、ステッカー付帯保険の受益者としての登録を行った際に入力するデータである。受益者登録の際にステッカー製造番号を入力することにより、受益者としての資格を有することを証明する。尚、最右欄の識別番号「Ａ１２３４５６」は、代行者サーバ１０が保険会社サーバ６０へ受益者データを送信した場合に、保険会社から個々の受益者に対して付与される固有の識別番号である。
【００５０】
図７には、ステッカー付帯保険の受益者の特定方法が、幾つか例示されている。
先ず、一番上に示す例では、顧客Ｐがステッカー配布先ネットワークａからステッカー４３ａを配布され、当該ステッカーに記載されたステッカー製造番号を用いてパソコン４０ａ又は携帯電話４０ｂ等の端末装置から代行者サーバ１０の受付ウェブサイト１２へアクセスし、受益者登録を行う。尚、いずれの例における顧客端末４０も、パソコン、携帯電話、ＰＤＡ等いずれの携帯端末装置であってもよい。
【００５１】
図７の中段に示す例では、顧客Ｑがステッカー配布先ネットワークａからステッカー４３ｂを配布されたが、それを顧客Ｒへ譲り、顧客Ｒがその取得したステッカーのステッカー識別番号を用いて代行者サーバ１０の受付ウェブサイト１２へアクセスし、受益者登録を行う。この場合の別の実施例として、顧客Ｑがステッカー自体を顧客Ｒへ譲るのではなく、顧客Ｑの端末装置から顧客Ｒの端末装置へステッカー番号のデータを送信することにより、受益者登録する資格のみを譲ることもできる。顧客Ｒは、ステッカーを所持していなくともステッカー製造番号を取得できれば受益者登録を行うことができる。
【００５２】
さらに、図７の一番下の例では、複数の顧客Ｘ、Ｙ、Ｚがステッカー配布先ネットワークａからそれぞれステッカーを配布される。その後、顧客Ｘ、Ｙ、Ｚは、それぞれのステッカー製造番号を用いてステッカー関連ウェブサイト８２で行われるゲームに参加し、ゲーム結果によって種々の賞品やサービスの贈与、収集、交換等が行われる。例えば、ゲームの勝者に与えられる賞品が「保険サービスの受益者としての資格」であるとすると、複数の顧客Ｘ、Ｙ、Ｚがそれぞれの携帯電話４０ｄ、４０ｅ、４０ｆからウェブサイト８２へアクセスし、所定の対戦ゲームを行い、顧客Ｙが勝者として賞品である保険サービスを取得する。例えば、ウェブサイトサーバ８０が、ゲーム結果が得られた時点で顧客Ｙのステッカー製造番号のみを有効としかつ顧客Ｘ及びＺのステッカー製造番号を無効として扱うように代行者サーバ１０に通知する等の処理を行う。そして、顧客Ｙは、代行者サーバ１０の受付ウェブサイト１２へアクセスし、ステッカー識別番号を用いて受益者登録を行い、識別番号を付与される。
【００５３】
図７に示したように、ステッカーが配布された後に、最終的に受益者が特定される方法は、多様に設定できる。尚、最終的に受益者としての資格を取得した顧客が、代行者サーバ１０の受付ウェブサイト１２へアクセスするための手段として、受付ウェブサイト１２のＵＲＬをステッカーに記載することが好適である。また図７の例で、ゲームサイトの勝者を受益者とする場合、例えば、ゲーム結果が出た時点で、勝者となった顧客の携帯電話の画面上に受付ウェブサイト１２のＵＲＬを表示したり、「受益者登録実行」ボタンを表示したりすることにより、顧客がそれらを選択する入力を行うと、即座に画面表示を受付ウェブサイト１２へ移行させるようにできる。
【００５４】
図８は、図１の代行者サーバ１０のデータ記憶部２５に記憶される見舞金データテーブル３０の一例を示す。ここで「見舞金」とは、受益者において保険事故が発生した場合に受益者が代行者へ請求し、代行者から受益者に支払われる金銭を意味する。本来であればこの金銭は、保険サービスを提供する契約者が受益者へ支払うべき金銭であり、最終的には保険会社から契約者に支払われる「保険金」であるが、本システムでは、保険サービスに関して受益者と保険会社、受益者と契約者が直接関わることはなく、専ら代行者が受益者との応対を行い、代行者が受益者への「保険金」を立替払いするので、この立替払いされる金銭を「見舞金」として「保険金」と区別している。見舞金データテーブル３０は、見舞金請求のあった各件に関する記録データを格納しており、受益者個人情報、ステッカー製造番号、識別番号の他に、見舞金の「事故内容」、「請求日」、「審査結果」、「金額」、「支払日」、「振込口座」等の項目がある。
【００５５】
図９は、図１の代行者サーバ１０のデータ記憶部２５に記憶される保険金請求データテーブル３１の一例を示す。代行者サーバ１０は、受益者への見舞金支払後、立て替え払いした金銭の請求処理を行う。請求処理においては、契約者に対して立替金の支払請求を行う一方、保険会社に対して保険金の支払請求を行う。後者の請求は、本来、契約者が保険会社へ行うものであるが、代行者が契約者に替わって行う。その後、保険金は、保険会社から契約者へ支払われ、さらに契約者から代行者へ支払われ、代行者はこれを受領する。図９の保険金請求データテーブル３１は、保険金請求に係る各件に関する記録データを格納しており、受益者個人情報、ステッカー製造番号、識別番号の他に、保険金についての「事故内容」、「（契約者への）立替金請求日」、「（保険会社への）保険金請求日」、「金額」、「受領日」等の項目がある。
【００５６】
図１０は、図１の保険会社サーバ６０のデータ記憶部６４に記憶される保険金支払データテーブル６７の一例を示す。保険会社サーバ６０は、代行者からの保険金請求及び契約者への保険金支払の処理を行う。図１０の保険金請求データテーブル６７は、保険金支払に係る各件に関する記録データを格納しており、受益者個人情報、ステッカー製造番号、識別番号の他に、保険金についての「事故内容」、「（代行者からの）請求日」、「審査結果」、「金額」、「（契約者への）支払日」等の項目がある。
【００５７】
図１１は、図１の契約者サーバ５０のデータ記憶部５４に記憶される保険金受取データテーブル５８の一例を示す。契約者サーバ５０は、代行者からの立替金請求、保険会社からの保険金受取、及び代行者への立替金支払の処理を行う。図９の保険金受取データテーブル５８は、保険金受取及び立替金支払に係る各件に関する記録データを格納しており、受益者個人情報（識別番号を含む）、キャリア／プロバイダ及びステッカー内容、及びステッカー識別番号の他に、保険金についての「（代行者からの）立替金請求日」、「（保険会社からの）保険金受領日」、「金額」、「（代行者への）立替金支払日」等の項目がある。
【００５８】
以下、図１２〜図１５の流れ図を参照して、図１の各サーバ１０、５０、６０により実行される本システムの処理の流れを説明する。尚、図示の各処理の流れは、一例をして示すものであり、これらに限定する意図ではない。本発明の主旨の範囲内で処理の手順を変更してもよい。
【００５９】
図１２は、図１の代行者サーバ１０及び契約者サーバ５０の各ステッカー配布処理部２１、５２並びに保険会社サーバ６０のデータ処理部６１による処理の流れを示す。
【００６０】
・ステップ１１０１：契約者サーバ５０は、配布するステッカーに固有のステッカー製造番号を付与し、付与したステッカー製造番号をステッカー製造番号データテーブル５６に記憶する。
【００６１】
・ステップ１１０２：サーバによる処理ではないが、配布先ネットワークａ、ｂ、ｃへのステッカーの配布、及び、配布先ネットワークから顧客へのステッカー配布が実行される（Ｓ１０１）。契約者サーバ５０は、配布先ネットワークａ、ｂ、ｃから配布済ステッカーデータを受信し（Ｓ１０２）、配布済ステッカーデータテーブル５７に記憶すると共に、代行者サーバ１０へ配布済ステッカーデータを送信する（Ｓ１０３）。
【００６２】
・ステップ１１０３：代行者サーバ１０は、契約者サーバ５０から配布済ステッカーデータを受信し、配布済ステッカーデータテーブル２７に記憶すると共に、ステッカーサービス約款データテーブル２６を参照して配布済ステッカーデータテーブル２７のデータを組み替えることにより、保険タイプ別配布済ステッカーデータテーブル２８を作成し、これを記憶する。
【００６３】
・ステップ１１０４：代行者サーバ１０は、保険タイプ別配布済ステッカーデータを保険会社サーバ６０へ送信する（Ｓ１０４）。
【００６４】
・ステップ１１０５：保険会社サーバ６０は、保険タイプ別配布済ステッカーデータを受信し、月別の保険料の暫定見積書を作成し、データ記憶部６４に記憶する。
【００６５】
図１３は、図１の代行者サーバ１０の受益者登録処理部２２及び保険会社サーバ６０の受益者登録処理部６２による処理の流れを示す。
【００６６】
・ステップ２１０１：配布されたステッカーを顧客が取得し、当該取得した顧客が見舞金サービス受益者として特定されるか、またはその後の贈与、収集、交換、ゲーム実行等を経た後に最終的に見舞金サービス受益者が特定される。
【００６７】
・ステップ２１０２：受益者端末４０から代行者サーバ１０へ受益者データを送信する（Ｓ２０１）。
【００６８】
・ステップ２１０３：代行者サーバ１０は、受益者データを受信し、保険タイプ別配布済ステッカーデータテーブル２８を参照することにより、受益者データに含まれるステッカー製造番号を照会する。
【００６９】
・ステップ２１０４：　代行者サーバ１０は、受益者データテーブル２９に登録し、受益者データを保険会社サーバ６０へ送信する（Ｓ２０２）。
【００７０】
・ステップ２１０５：　保険会社サーバ６０は、受益者データを受信し、受益者に対して識別番号を付与し、受益者データテーブル６６に記憶すると共に、識別番号を代行者サーバ１０へ送信する（Ｓ２０３）。
【００７１】
・ステップ２１０６：代行者サーバ１０は、識別番号を受益者データテーブル２９に登録すると共に、識別番号を受益者端末４０に送信する（Ｓ２０４）。
【００７２】
・ステップ２１０７：受益者端末４０は、識別番号を受信する。
【００７３】
図１４は、図１の代行者サーバ１０の見舞金処理部２３による処理の流れを示す。
【００７４】
・ステップ３１０１：受益者が、ステッカーサービス約款に定める事故に遭ったとき、受益者端末４０から代行者サーバ１０へアクセスし、見舞金請求データを送信する（Ｓ３０１）。見舞金請求データには、ステッカー製造番号と識別番号が含まれる。これらのネットワーク送信においては、十分なセキュリティを確保するものとする。尚、その他の必要な書面等は、受益者が代行者へ別途送付する。
【００７５】
・ステップ３１０２：代行者サーバ１０は、受益者端末４０からの見舞金請求データを受信し、当該データに含まれるステッカー製造番号及び識別番号の双方又はいずれかに基づいて受益者データテーブル２９等を参照して正当な受益者による請求か否かを確認し、ステッカーサービス約款データテーブル２６及び保険タイプ別配布済ステッカーデータテーブル２８を参照して適切な見舞金請求であるか否かを確認することにより、審査を行う。代行者サーバ１０は、審査結果に基づいて見舞金の支払いを決定し、結果を受益者端末４０へ通知する。尚、この見舞金は、代行者が契約者に替わって受益者へ支払う立替金である。そして、代行者と受益者との間で見舞金の授受が行われる（Ｓ３０２）。
【００７６】
・ステップ３１０３：代行者から受益者への支払を完了したならば、代行者サーバ１０は、見舞金データテーブル３０に当該請求及び支払に係るデータを記憶する。
【００７７】
図１５は、図１の代行者サーバ１０、保険会社サーバ６０及び契約者サーバ５０の各保険金処理部２４、６３及び５３による処理の流れを示す。
【００７８】
・ステップ４１０１：代行者サーバ１０は、契約者に対する立替金請求データを作成し、契約者サーバ５０へ送信する（Ｓ４０１）と共に、保険会社に対する保険金請求データを作成し、保険会社サーバ６０へ送信する（Ｓ４０２）。代行者サーバ１０は、作成した保険金請求データを保険金請求データテーブル２０に登録する。尚、その他の必要な書面等は、代行者が保険会社へ別途送付する。保険金請求は、本来、契約者が保険会社に対して行うものであるが、本システムでは、代行者が契約者に替わって行う。契約者の便宜を図ったものである。
【００７９】
・ステップ４１０２：保険会社サーバ６０は、代行者サーバ１０からの保険金請求データを受信し、受益者データテーブル６６及び保険約款データテーブル６５を参照することにより、正当な受益者による適切な保険金請求であるか否かを確認することにより、審査を行う。保険会社サーバ６０は、審査結果に基づいて保険金の支払いを決定する。そして、保険会社と契約者との間で保険金の授受が行われる（Ｓ４０３）。
【００８０】
・ステップ４１０３：保険会社サーバ６０は、保険金支払に係るデータを保険金支払データテーブル６７に登録し、契約者サーバ５０は、保険金受取に係るデータを保険金受取データテーブル５８に登録する。その後、契約者と代行者との間で見舞金（立替金）の授受が行われる（Ｓ４０４）。代行者サーバ１０は、立替金の受領を保険金請求データテーブル３１に登録する。
【００８１】
【発明の効果】
以上の通り、本発明により、ステッカーに保険を付帯させたシステムが提供された。このような保険を付帯させたことにより、顧客がステッカーの配布を望む動機付けとなり、当該ステッカーによるキャンペーン効果や広告宣伝効果も益々高まることとなる。
【００８２】
また、本発明によるステッカー付帯保険システムは、保険契約者（ステッカー提供者／広告主）と保険会社間で行われるべき業務処理を代替して実行する保険サービス代行者サーバを設けたことにより、保険契約者及び保険会社の負担を増すことなく実施することができる。
【図面の簡単な説明】
【図１】本発明によるステッカー付帯保険システムの実施形態を概略的かつ模式的に示す構成図である。
【図２】図１の保険会社サーバ６０のデータ記憶部６４に記憶される保険約款データテーブル６５の一例を示す図である。
【図３】（Ａ）〜（Ｆ）はそれぞれ、図１の契約者サーバ５０のデータ記憶部５４に記憶されるステッカー製造番号データテーブル５６の一例を示す図である。
【図４】図１の契約者サーバ５０のデータ記憶部５４に記憶される配布済ステッカーデータテーブル５７の一例を示す図である。
【図５】図１の代行者サーバ１０のデータ記憶部２５に記憶される保険タイプ別配布済ステッカーデータテーブル２８の一例を示す図である。
【図６】図１の代行者サーバ１０のデータ記憶部２５に記憶される受益者データテーブル２９の一例を示す図である。
【図７】保険サービス受益者の特定方法の例を示す図である。
【図８】図１の代行者サーバ１０のデータ記憶部２５に記憶される見舞金データテーブル３０の一例を示す図である。
【図９】図１の代行者サーバ１０のデータ記憶部２５に記憶される保険金請求データテーブル３１の一例を示す図である。
【図１０】図１の保険会社サーバ６０のデータ記憶部６４に記憶される保険金請求データテーブル６７の一例を示す図である。
【図１１】図１の契約者サーバ５０のデータ記憶部５４に記憶される保険金受取データテーブル５８の一例を示す図である。
【図１２】本システムにおけるステッカー配布処理に関する流れを示す図である。
【図１３】本システムにおける受益者登録処理に関する流れを示す図である。
【図１４】本システムにおける見舞金処理に関する流れを示す図である。
【図１５】本システムにおける保険金処理に関する流れを示す図である。
【符号の説明】
１　ステッカー付帯保険システム
１０　保険サービス代行者サーバ
１２　（代行者サーバ）受付ウェブサイト
２０　（代行者サーバ）データ処理部
２１　（代行者サーバ）ステッカー配布処理部
２２　（代行者サーバ）受益者登録処理部
２３　（代行者サーバ）見舞金処理部
２４　（代行者サーバ）保険金処理部
２５　（代行者サーバ）データ記憶部
２６　（代行者サーバ）ステッカーサービス約款データテーブル
２７　（代行者サーバ）配布済ステッカーデータテーブル
２８　（代行者サーバ）保険タイプ別配布済ステッカーデータテーブル
２９　（代行者サーバ）受益者データテーブル
３０　（代行者サーバ）見舞金データテーブル
３１　（代行者サーバ）保険金請求データテーブル
４０、４０ａ〜ｆ　保険受益者端末
５０　保険契約者サーバ
５１　（契約者サーバ）データ処理部
５２　（契約者サーバ）ステッカー配布処理部
５３　（契約者サーバ）保険金処理部
５４　（契約者サーバ）データ記憶部
５５　（契約者サーバ）保険約款データテーブル
５６　（契約者サーバ）ステッカー製造番号データテーブル
５７　（契約者サーバ）配布済ステッカーデータテーブル
５８　（契約者サーバ）保険金受取データテーブル
６０　保険会社サーバ
６１　（保険会社サーバ）データ処理部
６２　（保険会社サーバ）受益者登録処理部
６３　（保険会社サーバ）保険金処理部
６４　（保険会社サーバ）データ記憶部
６５　（保険会社サーバ）保険約款データテーブル
６７　（保険会社サーバ）受益者データテーブル
６７　（保険会社サーバ）保険金支払データテーブル
７０　ネットワーク
８０　ステッカー関連ウェブサイトサーバ
８２　ステッカー関連ウェブサイト
【図１】
2004030229.tif 000003
【図２】
2004030229.tif 000004
【図３】
2004030229.tif 000005
【図４】
2004030229.tif 000006
【図５】
2004030229.tif 000007
【図６】
2004030229.tif 000008
【図７】
2004030229.tif 000009
【図８】
2004030229.tif 000010
【図９】
2004030229.tif 000011
【図１０】
2004030229.tif 000012
【図１１】
2004030229.tif 000013
【図１２】
2004030229.tif 000014
【図１３】
2004030229.tif 000015
【図１４】
2004030229.tif 000016
【図１５】
2004030229.tif 000017